(57)【要約】
【課題】  構造が簡単化され、手すりの収納が便利な手すり組の構造を提供する。
【解決手段】  固定座１と手すり２とカバー３を含む。固定座１は、一端には直径が凸縁１１の外徑よりも小さい枢軸が突出して設けられている凸縁１１を有し、枢軸の凸縁から遠ざかった一端には、係合ブロック１３が半径方向に突出している。手すり２は、枢軸１２に応じる一端には、係合ブロック１３を挿通するための欠け口を備える枢接孔２１を有し、枢接孔２１の一端には、係合ブロック１３を枢転自在に収容するための大直径部２２が形成される。欠け口に近接する箇所に、大直径部２２から突起するストッパー２３が設けられる。固定座１を定位するための定位機構２０が設けられている。ストッパー２３に応じる箇所に、大直径部２２から突起する突起３１が設けられている。カバー３は枢軸の係合ブロック１３と突起３１との組合せにより、手すり２のストッパー２３の活動範囲を制限する。
【選択図】    図２
0003100978.tif 000002
【実用新案登録請求の範囲】
【請求項１】
一端には凸縁を有し、前記凸縁から枢軸が突出して設けられ、前記枢軸の直径は前記凸縁の外徑よりも小さく、且つ前記枢軸の前記凸縁から遠ざかった一端には、係合ブロックが半径方向に突出して設けられている固定座と、
当該枢軸に応じる一端には枢接孔を有し、前記枢接孔には前記係合ブロックを挿通するための欠け口を有し、前記枢接孔の一端には、前記係合ブロックを枢転自在に収容するための一大直径部を形成し、前記係合ブロックをとめるために、前記欠け口に近接する箇所には、前記大直径部から突起するストッパーが設けられ、且つ前記固定座との間には、固定座との定位をするための定位機構が設けられている手すりと、
当該固定座の前記係合ブロックと隣接する一端と結合し、前記手すりをストップするために、その外徑は当該枢軸の直径よりも大きく、且つ前記手すりのストッパーに応じる箇所では、前記大直径部から突起する突起が設けられ、前記枢軸の係合ブロックと前記突起との組合せにより、前記手すりのストッパーの活動範囲が制限されるカバーとを備えることを特徴とする手すり組の構造。
【請求項２】
当該定位機構は、前記手すりのスライド溝を自在にスライド可能なスライダを有し、前記スライド溝は前記手すりの凸縁と隣接する一側で開けられ、且つ前記スライド溝の延びる方向は前記枢接孔の軸方向と平行であり、前記スライダと前記スライド溝との間には、前記スライダを付勢し固定座の凸縁へ寄らせるためのバネが設けられ、且つ前記スライダには定位ブロックが突出して設けられ、前記凸縁は前記定位ブロックに応じて複数の定位溝を有し、前記定位ブロックを定位溝内に嵌め込むことにより手すりと固定座とを定位可能であることを特徴とする請求項１に記載の手すり組の構造。
【請求項３】
当該スライド溝は前記手すりの外縁まで開けられた切欠きを有し、且つ当該スライダは、前記切欠きから前記手すりの外縁の外側に伸びる操作部を有し、前記操作部を押すことによって前記スライダが移動されることを特徴とする請求項２に記載の手すり組の構造。
【考案の詳細な説明】
【技術分野】
【０００１】
本考案は、手すり組の構造に関する。
【背景技術】
【０００２】
図６に示すように、従来の枢転可能な手すり組の構造は、座席８１の両側で固定座８２を螺着し、前記固定座８２には歯付きディスク８３が結合している。手すり８４には自在座８５が結合し、且つ前記自在座８５には、前記歯付きディスク８３と噛合うための歯部（図示省略）を有する。なお、前記歯付きディスク８３と自在座８５の間にはバネ部材８８が設けられ、前記自在座８５と固定座８２とツマミ８７とにボルト８６を挿通し締め付けた後、前記自在座８５の歯部は固定座８２に設けた歯付きディスク８３としっかりと噛み合って定位される。
【０００３】
手すりを収納しようとする場合には、まず、ツマミ８７を緩めて、歯付きディスク８３と自在座８５の間に設けられているバネ部材８８で、前記自在座８５の歯部と固定座８２に設けた歯付きディスク８３とを付勢し分離させる。ここで、手すり８４を後方へ９０度程度に枢転した後、ツマミ８７を締め付けると、自在座８５の歯部８５１および固定座８２に設けた歯付きディスク８３は、ボルト８６に緊迫され互いにしっかりと噛合うことによって定位され、それで手すりが収納される。
【考案の開示】
【考案が解決しようとする課題】
【０００４】
しかしながら、上記の構造では、自在座８５および固定座８２の定位は、歯付きディスク８３と自在座８５の歯部８５１との噛合いによって達成されるが、歯付きディスク８３と歯部８５１の間には、それらをしっかりと定位するために、ある程度の接触高さが必要になる。手すりを収納する際には、ツマミ８７を数回転に旋回した後、初めて歯付きディスク８３は歯部８５１から離脱し、手すりが枢転可能となり、なお、手すりを枢転した後も、ツマミ８７を数回転に旋回しなければ、手すりが固定できないため、操作は極めて不便である。
【０００５】
なお、前記歯付きディスク８３及び歯部を持つ自在座８５の構造はより複雑であるため、製造が難しくなり、製造コストも増加する。
【０００６】
したがって本考案の目的は、構造が簡単化され、手すりの収納が便利な手すり組の構造を提供することにある。
【課題を解決するための手段】
【０００７】
上述の目的を達成するために、本考案の請求項に記載の手すり組の構造は、一端には凸縁を有し、前記凸縁から枢軸が突出して設けられ、前記枢軸の直径は前記凸縁の外徑よりも小さい。且つ前記枢軸の前記凸縁から遠ざかった一端には、係合ブロックが半径方向に突出している固定座を含む。
【０００８】
当該枢軸に応じる一端には枢接孔を有し、前記枢接孔には前記係合ブロックを挿通するための欠け口を有し、なお、前記枢接孔の一端には、前記係合ブロックを枢転自在に収容するための大直径部が形成される。前記係合ブロックをとめるために、前記欠け口に近接する箇所では、前記大直径部から突起するストッパーが設けられている。且つ前記固定座との間には、固定座との定位をするための定位機構が設けられている手すりを含む。
【０００９】
当該固定座の前記係合ブロックと隣接する一端と結合し、前記手すりをストップするために、その外徑は当該枢軸の直径よりも大きい。且つ前記手すりのストッパーに応じる箇所では、前記大直径部から突起する突起が設けられている。前記枢軸の係合ブロックと前記突起との組合せにより、前記手すりのストッパーの活動範囲が制限されるカバーを含む。
【００１０】
本考案では、当該定位機構は、前記手すりのスライド溝を自在にスライド可能なスライダを有し、前記スライド溝は前記手すりの凸縁と隣接する一側で開けられている。且つ前記スライド溝の延びる方向は前記枢接孔の軸方向と平行し、なお、前記スライダと前記スライド溝の間には、前記スライダを付勢し固定座の凸縁へ寄らせるための一バネが設けられている。且つ前記スライダには一定位ブロックが突出して設けられる。前記凸縁は前記定位ブロックに応じて多数の定位溝を有し、前記定位ブロックを定位溝内に嵌め込むことにより、手すりと固定座とを定位することが可能である。
本考案では、当該スライド溝は前記手すりの外縁まで開けた一切欠きを有し、且つ当該スライダは、前記切欠きから前記手すりの外縁の外側に伸びる一操作部を有する。前記操作部を押すことによって前記スライダが移動される。
【００１１】
この考案によれば、手すり組の構造が簡単化され、手すりの収納が便利になる。
【考案を実施するための最良の形態】
【００１２】
以下、本考案の実施例を図面に基づいて説明する。
図１から図４に示すように、本考案の実施例による手すり組の構造は、座席１０の底部に螺着するための固定座１と、前記固定座１と枢接する手すり２及びカバー３とを含む。
前記固定座１の一端には凸縁１１を有し、前記凸縁１１から枢軸１２が突出している。前記枢軸１２の直径は前記凸縁１１の外徑よりも小さい。且つ前記枢軸１２の前記凸縁１１から遠ざかった一端には、係合ブロック１３Ａが半径方向に突出して設けられている。本実施例では、前記枢軸１２の凸縁１１と隣接する一端にも、前記係合ブロック１３Ａと対向する係合ブロック１３Ｂが設けてられている。
【００１３】
前記手すり２は、当該枢軸１２に応じる一端には枢接孔２１を有し、前記枢接孔２１には前記係合ブロック１３Ａを挿通するための欠け口２１１を有する。なお、前記枢接孔２１の両端には、枢軸１２にある二つの係合ブロック１３Ａ、係合ブロック１３Ｂを枢転自在に収容するための二つの大直径部２２Ａ、大直径部２２Ｂが別々に形成する。前記係合ブロック１３Ａ、係合ブロック１３Ｂをストップするために、前記欠け口２１１に近接する箇所では、前記二つの大直径部２２Ａ、大直径部２２Ｂから別々に突起するストッパー２３Ａ、ストッパー２３Ｂが設けられている。
【００１４】
前記手すり２と前記固定座１の間には定位機構２０が設けられている。前記前記定位機構２０は手すり２のスライド溝２５を自在にスライド可能なスライダ２４を有する。前記スライド溝２５は前記手すり２の凸縁１１と隣接する一側で開けられている。且つ前記スライド溝２５の延びる方向は前記枢接孔２１の軸方向と平行である。なお、前記スライダ２４と前記スライド溝２５の間には、前記スライダ２４を付勢し固定座１の凸縁１１へ寄らせるための一バネ２６が設けられている。且つ前記スライダ２４には定位ブロック２４１が突出して設けられ、前記凸縁１１は前記定位ブロック２４１に応じて多数の定位溝１１１を有する。前記定位ブロック２４１を定位溝１１１内に嵌め込むことにより、手すり２と固定座１とを定位可能である。
【００１５】
なお、前記スライド溝２５は前記手すり２の外縁まで開けた切欠き２５１を有し、且つ前記スライダ２４は、前記切欠き２５から前記手すり２の外縁の外側に伸びる操作部２４２を有する。前記操作部２４２を押すことによって前記スライダ２４が移動され、前記定位ブロック２４１を定位溝１１１から離脱させて定位を解除可能とする。
【００１６】
前記カバー３は、前記固定座１の前記係合ブロック１３Ａと隣接する一端と結合し、前記手すり２をとめるために、その外徑は前記枢軸１２の直径よりも大きい。且つ前記手すり２のストッパー２３Ａに応じる箇所では、前記大直径部２２Ａから突起する突起３１が設けられている。前記枢軸１２の係合ブロック１３Ａと前記突起３１との組合せにより、前記手すり２のストッパー２３Ａの活動範囲が制限される。
【００１７】
手すり２を組合せようとする場合には、手すり２の枢接孔２１の欠け口２１１を固定座１の係合ブロック１３Ａ、係合ブロック１３Ｂに合わせる。ここで手すり２は、図１に示すように、下向きの状態にある。手すり２の枢接孔２１が枢軸１２を嵌めた後、図２に示すように、手すり２を上方へ枢転して、カバー３を取り付けると、組合せ作業が完成する。使用者は手すり２を収納しようとする場合には、まず、前記スライダ２４から手すり２の外部に突起する操作部２４２によって前記スライダ２４を移動することにより、前記定位ブロック２４１を定位溝１１１から離脱すると、定位が解除される。使用者は前記手すり２を直接に枢転することが可能で、ストッパー２３Ａが前記カバー３の突起３１に当接すると、手すり２の枢転はストップされる。この時、図５における破線の部分に示すように、手すり２は収納の定位に位置する。
【００１８】
なお、使用者は手すり２を使用しようとする場合には、まず、前記スライダ２４から手すり２の外部に突起する操作部２４２によって前記スライダ２４を移動することにより、前記定位ブロック２４１を定位溝１１１から離脱すると、定位が解除され、ここで、前記手すり２を上方に枢転する。手すり２が所望の位置まで枢転されたときに前記スライダ２４を放すと、スライダ２４がバネ２６の弾力に付勢され前記固定座１の凸縁１１に寄り、且つ前記スライダ２４の定位ブロック２４１はそれと対応する定位溝１１１内に嵌め込まれて、前記手すり２および固定座１を定位する。これで、使用者は前記手すり２を使用可能となる。また、前記凸縁１１には定位ブロック２４１を嵌めて定位するための多数の定位溝１１１を有するので、手すり２は所望の角度に調整して定位可能である。
【図面の簡単な説明】
【００１９】
【図１】本考案の一実施例による手すり組の構造を示す分解斜視図である。
【図２】本考案の一実施例による手すり組の構造の組合せた状態を示す斜視図である。
【図３】図１における３−３線の矢視図である。
【図４】本考案の一実施例による手すり組の構造の組合せた状態の一部を示す拡大断面図である。
【図５】こ本考案の一実施例による手すり組の構造の使用状態を示す概略図である。
【図６】従来の枢転可能な手すりの構造を示す概略図である。
【符号の説明】
【００２０】
１  固定座、２  手すり、３  カバー、１０  座席、１１  凸縁、１２  枢軸、１３Ａ  係合ブロック、２０  定位機構、２１  枢接孔、２２Ａ  大直径部、２３Ａ  ストッパー、２４  スライダ、２５  スライド溝、２６  バネ、３１  突起、１１１  定位溝、２１１  欠け口、２４１  定位ブロック、２４２  操作部、２５１  切欠き
【図１】
0003100978.tif 000003
【図２】
0003100978.tif 000004
【図３】
0003100978.tif 000005
【図４】
0003100978.tif 000006
【図５】
0003100978.tif 000007
【図６】
0003100978.tif 000008